(57)【要約】【課題】ユーザの好みに応じた音質を容易に設定できるようにする。【解決手段】再生対象の音信号の音質を変更し、音質が異なる複数の音信号を選択候補として生成する（ステップＳ２）イコライザ処理手段と、前記イコライザ処理手段により生成された選択候補を切り替えて順次再生する（ステップＳ３）再生手段と、前記再生手段により再生された複数の選択候補の中からユーザにより選択された選択候補の音質の設定値を統計し（ステップＳ５，Ｓ６）、当該統計によって得られた設定値を前記再生対象の音信号の音質の設定値として設定する（ステップＳ１０）制御手段と、を備える音響機器。【選択図】図３
2010192995.tif 000002
【特許請求の範囲】
【請求項１】
再生対象の音信号の音質を変更し、音質が異なる複数の音信号を選択候補として生成するイコライザ処理手段と、
前記イコライザ処理手段により生成された選択候補を切り替えて順次再生する再生手段と、
前記再生手段により再生された複数の選択候補の中からユーザにより選択された選択候補の音質の設定値を統計し、当該統計によって得られた設定値を前記再生対象の音信号の音質の設定値として設定する制御手段と、
を備える音響機器。
【請求項２】
前記イコライザ処理手段により音質が異なる複数の選択候補を生成して、前記再生手段が選択候補を再生し、そのうち選択された選択候補の音質の設定値を前記制御手段が累積加算して記憶手段に記憶する処理を複数回繰り返し、
前記制御手段は、前記複数回繰り返された処理によって前記記憶手段に記憶された各選択候補の音質の累計値を、前記再生対象の音信号の音質の設定値として設定する請求項１に記載の音響機器。
【発明の詳細な説明】
【技術分野】
【０００１】
本発明は、音響機器に関する。
【背景技術】
【０００２】
イコライザ機能が搭載された音響機器は、再生する音信号の周波数特性や遅延時間等の音質を調整することが可能である。例えば、「ＰＯＰＳ」、「ＲＯＣＫ」、「ＪＡＺＺ」のようなジャンル毎に、周波数特性等の音質の各項目について設定値を組み合わせたプリセット値を予め定めておき、ユーザにより選択されたジャンルのプリセット値を用いて音質を変更する技術が開示されている（例えば、特許文献１）。さらに詳細な設定を行いたい場合には、音質の各項目についてユーザが任意の設定値に手動設定することも可能である。
【先行技術文献】
【特許文献】
【０００３】
【特許文献１】特開平７−２８４１８５号公報
【発明の概要】
【発明が解決しようとする課題】
【０００４】
プリセット値によって音質を調整する場合、メーカ側で音質の設定値が固定されるため、ユーザが音質を変更できる範囲が限られ、幅広いユーザの好みに対応しきれない。
【０００５】
これに対し、手動設定によればユーザが自由に設定値を決められるので、ユーザの好みに近い音質とすることができる。手動で設定できる音質の項目が多ければ多いほど、ユーザの好みに広く対応できる。しかし、音質の調整には専門的な知識も必要であり、音質の項目が多いと、不慣れなユーザにとっては設定が難しく、不便である。また、１つの項目について設定値を調整する毎に聴いている音の音質が変わっていくため、全ての項目について調整が終了する頃には、元々意図していた音質であるのかどうかが分からなくなってしまうこともあり、所望の音質に調整するのは容易ではない。
【０００６】
本発明の課題は、ユーザの好みに応じた音質を容易に設定できるようにすることである。
【課題を解決するための手段】
【０００７】
請求項１に記載の発明によれば、
再生対象の音信号の音質を変更し、音質が異なる複数の音信号を選択候補として生成するイコライザ処理手段と、
前記イコライザ処理手段により生成された選択候補を切り替えて順次再生する再生手段と、
前記再生手段により再生された複数の選択候補の中からユーザにより選択された選択候補の音質の設定値を統計し、当該統計によって得られた設定値を前記再生対象の音信号の音質の設定値として設定する制御手段と、
を備える音響機器が提供される。
【０００８】
請求項２に記載の発明によれば、
前記イコライザ処理手段により音質が異なる複数の選択候補を生成して、前記再生手段が選択候補を再生し、そのうち選択された選択候補の音質の設定値を前記制御手段が累積加算して記憶手段に記憶する処理を複数回繰り返し、
前記制御手段は、前記複数回繰り返された処理によって前記記憶手段に記憶された各選択候補の音質の累計値を、前記再生対象の音信号の音質の設定値として設定する請求項１に記載の音響機器が提供される。
【発明の効果】
【０００９】
本発明によれば、ユーザの好みに応じた音質を容易に設定することができる。
【図面の簡単な説明】
【００１０】
【図１】本実施の形態における音響機器の機能的構成を示す図である。
【図２】音質調整に用いられるデータベースの一例である。
【図３】音質の調整時に、音響機器により実行される処理を示すフローチャートである。
【図４】２つの選択候補の音質の設定値例を示す図である。
【図５】選択された選択候補の音質の設定値が累積加算されたデータベース例を示す図である。
【図６】選択候補の選択と当該選択によって得られる設定値について説明する図である。
【発明を実施するための形態】
【００１１】
以下、図面を参照して本発明の実施の形態について説明する。
【００１２】
図１は、本実施形態に係る音響機器１の主な機能的構成を示す図である。
音響機器１は、音信号の再生にあたり、音質を変更することが可能なイコライザ機能を有する。音響機器１としては、例えばＣＤ（Compact Disk）等のメディアに記憶されている音を再生するオーディオシステムや、車両に搭載されるカーステレオシステム、携帯用の音楽再生プレーヤー等が挙げられるが、イコライザ機能を有する音響機器であればこれらに限定されない。
【００１３】
図１に示すように、音響機器１はマイクロコンピュータ１０、操作部２０、表示部３０、ＣＤメカ部４０、チューナ部５０、外部Ｉ／Ｆ６０、イコライザ処理部７０、再生部８０を備えて構成されている。
【００１４】
マイクロコンピュータ１０は制御部１１、記憶部１２を備えて構成されている。
制御部１１は、ＣＰＵ（Central Processing Unit）、ＲＡＭ（Random Access Memory）等を備えて構成され、記憶部１２に記憶されたプログラムとの協働により各種処理を実行し、各種演算を行うとともに各部の制御を行う。
【００１５】
例えば、音質の調整時、制御部１１は１つの音源から生成された、音質が異なる複数の音信号である選択候補のうち、ユーザにより選択された選択候補の音質の設定値を統計する。制御部１１は当該統計によって得られた設定値を、再生対象の音信号の音質の設定値として設定する。
【００１６】
記憶部１２は各種プログラムの他、プログラムの実行に必要なファイル、データベース等を記憶している。記憶部１２としては、ハードディスクやフラッシュメモリ等を用いることができる。記憶部１２に再生の対象となるデジタル音源を記憶することとしてもよい。
【００１７】
記憶部１２は、音質の調整時に用いられるデータベースを記憶している。図２に示すデータベースＴはその一例である。図２に示すように、データベースＴには調整可能な音質の項目毎に累計値が記憶されている。音質の各項目には項目番号１〜ｎが付与されている。音質の項目としては、例えば低周波数域の周波数帯１、中低周波数域の周波数帯２といった周波数特性に関する項目の他、フェダー、バランス、遅延時間のような項目が挙げられる。累計値は音質の調整時にユーザによって選択された音質の設定値が累積加算された値である。
【００１８】
操作部２０は、再生キー、停止キー、選択キーといった各種操作キーの他、リモートコントローラを備え、これらの操作に応じた操作信号を生成して制御部１１に出力する。
【００１９】
表示部３０は、制御部１１の表示制御に従って、ディスプレイ上に操作画面等を表示する。
【００２０】
ＣＤメカ部４０は、ＣＤに記憶されているデジタル音源を音信号として読み取り、読み取ったアナログの音信号をイコライザ処理部７０に出力する。
チューナ部５０は、放送信号を入力してアナログの音信号に変換し、変換した音信号をイコライザ処理部７０に出力する。
外部Ｉ／Ｆ６０は、ＵＳＢケーブル等を介して外部機器からアナログの音信号を入力し、入力した音信号をイコライザ処理部７０に出力する。
【００２１】
イコライザ処理部７０は、制御部１１の制御に従って、入力されたアナログの音信号に対し音量や音質の調整を行う。例えば、イコライザ処理部７０は再生対象として入力された音信号を信号処理し、制御部１１により設定された設定値の音質に変更する。音質が変更された音信号は再生部８０に出力される。
再生部８０は、イコライザ処理部７０から入力された音信号を増幅してスピーカ群８１に出力する。スピーカ群８１は、アナログの音信号を音波として出力する。
【００２２】
図３は、音質を調整する際に音響機器１によって実行される処理の流れを示すフローチャートである。当該処理は、メニューから音質調整モードがユーザにより選択されると開始される。
図３に示すように、まず制御部１１はデータベースＴを初期化し、データベースＴに記憶されている累計値を０にリセットする。また、制御部１１は音質調整する項目の項目番号ｎを初期化し、ｎ＝１に設定する（ステップＳ１）。次いで、イコライザ処理部７０は再生対象の音信号の項目番号ｎの項目の音質を変更し、音質が異なる２つの音信号を生成する（ステップＳ２）。この２つの音信号を選択候補Ａ、Ｂとする。再生対象となる音信号はＣＤメカ部４０やチューナ部５０、外部Ｉ／Ｆから取得された音信号でもよいし、記憶部１２に記憶されている音信号でもよい。
【００２３】
２つの選択候補Ａ、Ｂの音質の設定値は制御部１１が設定する。例えば、項目番号ｎ＝１は、図２に示すように低周波数域の周波数帯１の項目である。制御部１１は図４に示すように選択候補Ａの周波数帯１の設定値を５とし、その設定値５と所定値５だけ差を設けて選択候補Ｂの周波数帯１の設定値を１０とし、周波数帯１以外の項目の設定値を０とする。イコライザ処理部７０は、選択候補Ａ、Ｂにおいて設定値が０とされている項目について音質の変更はしない。設定値が０を超える項目について音質が変更される。例えば、周波数帯１の設定値が５の選択候補Ａは、元の音源の音信号から低周波数域が＋５レベル強調された音信号である。設定値が０の他の項目の音質については、変更が加えられていない。
【００２４】
生成された選択候補Ａ、Ｂはそれぞれ再生部８０に出力される。再生部８０は、制御部１１の再生制御に従って選択候補Ａ、Ｂを所定時間毎に、例えば５秒間毎に交互に切り替えて再生する（ステップＳ３）。ユーザは再生される音を聴き、選択候補Ａ、Ｂのうち好みの音質の選択候補を操作部２０によって選択すればよい。例えば、好みの音質の選択候補が再生されているときに決定キーの操作をすることとしてもよい。
【００２５】
選択候補Ａが選択された場合（ステップＳ４；Ｙ）、制御部１１は選択候補Ａの音質の設定値を、データベースＴの累計値に累積加算し、統計する（ステップＳ５）。選択候補Ａは、上述のように項目番号ｎの項目の音質のみ変更された音信号であり、項目番号ｎ以外の項目の設定値は全て０である。結果として、データベースＴの項目番号ｎの項目の累計値に、選択された選択候補Ａの項目番号ｎの項目の音質の設定値が累積加算され、項目番号ｎ以外の項目については累計値の変更がないこととなる。データベースＴの初期化直後は、データベースＴの各項目の累計値は全て０である。よって、データベースＴを初期化した直後に図４に挙げた選択候補Ａが選択された場合、データベースＴの周波数帯１の累計値０に、選択候補Ａの周波数帯１の設定値５が累積加算され、図５に示すようにデータベースＴの周波数帯１の累計値は０＋５＝５に更新される。
【００２６】
選択候補Ａではなく、選択候補Ｂが選択された場合（ステップＳ４；Ｎ）、同様に制御部１１は選択候補Ｂの音質の設定値を、データベースＴの累計値に累積加算し、統計する（ステップＳ６）。図４に示す選択候補Ｂの場合、選択候補Ｂの周波数帯１の設定値は１０、他の項目の設定値は０であるので、データベースＴは周波数帯１の累計値のみ０＋１０＝１０に更新される。
【００２７】
次に、制御部１１は再生部８０による再生を停止させ（ステップＳ７）、項目番号１〜ｎの全項目についてステップＳ２〜Ｓ６の処理を終えたか否かを判断する（ステップＳ８）。全ての項目について終了していない場合（ステップＳ８；Ｎ）、制御部１１は項目番号ｎを＋１インクリメントする（ステップＳ９）。その後、ステップＳ２の処理に戻り、＋１インクリメントされた項目番号ｎの項目の音質についてステップＳ２〜Ｓ７の処理を繰り返す。ステップＳ２〜Ｓ７の処理を繰り返すことにより、図６に示すように、項目番号１〜ｎの各項目について、イコライザ処理部７０が音質を変更した２つの選択候補Ａｎ、Ｂｎを生成し、再生部８０が再生し、制御部１１がユーザによって選択された選択候補の音質の設定値をデータベースＴに累積加算して統計する処理が繰り返される。
【００２８】
項目番号１〜ｎまでの全項目についてステップＳ２〜Ｓ６の処理が終了すると（ステップＳ８；Ｙ）、制御部１１はデータベースＴから音質の各項目に対応する累計値を読み出し、当該累計値を音質の設定値として設定する（ステップＳ１０）。累計値は選択された選択候補の音質の設定値を統計して得られた設定値である。すなわち、図６に示すように選択候補Ａｎ、Ｂｎの選択が繰り返されることによって、ユーザが好む音質の設定値が統計され、最終的な音質の設定値として決定される。
【００２９】
制御部１１により設定された設定値を用いて、イコライザ処理部７０は再生対象の音信号の音質を変更する。音質が変更された音信号は再生部８０に出力され、再生部８０は音信号の再生を行う（ステップＳ１１）。
【００３０】
以上のように、本実施形態によれば、イコライザ処理部７０が再生対象の音信号の音質を変更し、音質が異なる２つの音信号を選択候補として生成する。再生部８０は生成された選択候補を切り替えて順次再生し、制御部１１は再生された２つの選択候補のうちユーザにより選択された選択候補の音質の設定値をデータベースＴに累積加算して統計する。この処理を各音質の項目について複数回繰り返し、その結果データベースＴに記憶された各選択候補の音質の設定値を、制御部１１は再生対象の音信号の音質の設定値とする。
【００３１】
このようにユーザの選択結果を統計することにより、ユーザの好みの音質を分析し、その好みに合った音質の設定値を得ることができる。ユーザは音質調整に関する専門知識が無くとも選択候補を聴いて選択するという簡易な操作をするだけで好みの音質に設定することができ、音質調整された音の再生を楽しむことができる。音質調整時の操作が簡易であるため、他の作業中にも音質調整をすることができ、カーナビゲーション機器と一体となった音響機器１が車両に搭載されている場合等には特に有効である。
【００３２】
選択候補は２者択一であるので、音質の違いを聴き分けることが容易となるともに、選択の操作も容易となる。
【００３３】
なお、上記実施形態は本発明の好適な一例であり、これに限定されない。
例えば、上記実施形態では音質の選択を各項目につき１回行って統計しているが、各項目につき複数回行って統計することとしてもよい。選択された選択候補の音質の設定値はデータベースＴに累計加算されて統計され、その累計値が再生対象の音の音質の設定値として設定される。
【００３４】
例えば、項目番号１の周波数帯１の項目について、選択候補Ａ（１）（周波数帯１の設定値は５）と選択候補Ｂ（１）（周波数帯１の設定値は１０）の１回目の選択の後、選択候補Ａ（２）（周波数帯１の設定値は１０）と選択候補Ｂ（２）（周波数帯１の設定値は１５）の２回目の選択を繰り返す。１回目の選択により選択候補Ｂ（１）、２回目の選択により選択候補Ａ（２）が選択された場合、データベースＴの周波数帯１の項目の累計値は、選択候補Ｂ（１）の設定値「１０」と選択候補Ａ（２）の設定値「１０」が累積加算された「２０」である。よって、再生対象の音の音質のうち、周波数帯１の音質については設定値「２０」に設定される。
【００３５】
このように、１つの項目につき複数回選択を繰り返し、その項目の設定値を統計することにより、ユーザの好みの音質の傾向を詳細に分析することができ、音質の設定値をユーザの好みにより近づけることができる。
【００３６】
また、上記実施形態では、ユーザが選択しやすいように選択候補を２者択一としていたが、これに限らず、２つ以上の選択候補を提供し、その中から１つ又はそれ以上の選択候補を選択できる構成としてもよい。例えば、設定値を３段階で変更した３つの選択候補のうち１つを選択できる構成であってもよいし、５段階で変更した５つの選択候補のうち２つを選択できる構成であってもよい。制御部１１は選択された選択候補の音質の設定値をデータベースＴに累積加算する。
【００３７】
また、最終的に設定された音質の設定値と、再生対象とされた音信号のデジタル音源を、ネットワーク上にあるサーバに蓄積し、サーバから音質の設定値とデジタル音源を取得できる構成としてもよい。これにより、各ユーザの好みを把握することができる。
【００３８】
また、選択候補Ａ、Ｂは所定時間毎に交互に切り替えて再生されるが、この再生時間は予め音響機器１において設定された時間であってもよいし、ユーザにより設定された時間であってもよい。
さらに、選択候補Ａ、Ｂを最初から一曲を通して再生することとしてもよいし、選択候補Ａ、Ｂのうちの数フレーズ分を繰り返し再生することとしてもよい。
【符号の説明】
【００３９】
１    音響機器
１０    マイクロコンピュータ
１１    制御部
１２    記憶部
２０    操作部
３０    表示部
７０    イコライザ処理部
８０    再生部
【図１】
2010192995.tif 000003
【図２】
2010192995.tif 000004
【図３】
2010192995.tif 000005
【図４】
2010192995.tif 000006
【図５】
2010192995.tif 000007
【図６】
2010192995.tif 000008